(57)【特許請求の範囲】
【請求項１】
虫が進入し得る大きさの開口を有していて、内部に捕虫シートを定着する内面を備えたケースと、該ケース内に具備される誘引捕虫手段とから成り、前記誘引捕虫手段は、匂い及び光誘引要素であると共に捕虫手段である粘着性の捕虫シートと、光誘引要素である誘引蛍光管と、音誘引要素である誘引音波発生器であって、前記捕虫シートは、そのシート基材がＵＶ反射性能を具備し、その粘着捕虫層はＵＶ軟化性粘着剤が用いられることによって匂い徐放性を具備したものであることを特徴とする捕虫装置。
【請求項２】
前記音波発生器が発生する音波の波長域は、３００Ｈｚ以下である、請求項１に記載の捕虫装置。
【請求項３】
前記捕虫シートは、その基材シートが３６５ｎｍ近辺の波長を良好に反射するものである、請求項１又は２に記載の捕虫装置。
【請求項４】
前記捕虫シートの粘着捕虫層は、香料を粉末状にし、高温下で粘着物質に含浸させることにより徐放性を持たせたものである、請求項１乃至３のいずれかに記載の捕虫装置。
【請求項５】
前記香料は、乳酸臭又はきな粉臭を有するものである、請求項４に記載の捕虫装置。
【請求項６】
前記捕虫シートの粘着捕虫層は、匂い成分を含浸させた活性アルミナ球を粘着層に付着させることにより徐放性を持たせたものである、請求項１乃至３のいずれかに記載の捕虫装置。
【請求項７】
前記活性アルミナ球として、異なる匂い成分を含浸させた複数種のものが用いられる、請求項６に記載の捕虫装置。
【請求項８】
前記活性アルミナ球として、酢を含浸させたものと黒砂糖を含浸させたものとが含まれる、請求項７に記載の捕虫装置。
【発明の詳細な説明】
【技術分野】
【０００１】
本発明は、捕虫装置に関するものであり、より詳細には、例えば、食品工場、医薬品工場、容器包材工場等のように、昆虫類の侵入を極力阻止する必要のある場所に設置される捕虫装置であって、捕獲効率のよい捕虫装置に関するものである。
【背景技術】
【０００２】
例えば、内面に粘着性を持たせた断面半円形のケース内に、誘引灯（ＢＬランプ）を配置し、更に誘引効果を高めるために、誘引音波発生器を内蔵したものが知られている（特許第２５９９１０１号公報）。この提案に係る捕虫器の場合、誘引音波として発する音波の波長域は、１〜５ＫＨｚとされている。
【０００３】
しかるに、食品工場、医薬品工場、容器包材工場で特に混入被害事例の多いコバエ類、ユスリカ類では、２００Ｈｚ〜３００Ｈｚの範囲において誘引効果が高いことが種々の室内実験、野外実験等で検証されており、この検証結果から明らかなように、上記従来の捕虫器において発生される誘引音波は、少なくとも、コバエ類、ユスリカ類においては効果を期待することができない。
【０００４】
また、粘着性捕虫シートが、ＢＬランプから発せられるＵＶによって劣化することを緩和するための提案がなされ（特許第４７１２３１７号公報、特許第４９５９４７９号）、更に、捕虫装置の本体構造によって、捕虫シートによるＢＬランプから発せられるＵＶの反射効率を高めた捕虫装置の提案もなされている（特許第５０８７３１７号公報）。
【０００５】
このように、従来、捕虫装置の誘引効率を高めるために、ＢＬランプ＋音波、ＢＬランプ＋ＵＶ劣化の低い捕虫シート、あるいは、ＢＬランプの反射効率を高めた構造の捕虫装置等の提案がなされてきているが、いずれも満足のいく誘引効果が得られていないのが実情である。また、従来の捕虫シートに用いられている粘着捕虫剤は、ＵＶで硬化するタイプのものであったが、その場合は粘着剤の劣化に伴って硬化した後は、捕獲が不可となるだけでなく、既に捕獲された虫が粘着面から脱落する現象が起こるという問題があった。
【先行技術文献】
【特許文献】
【０００６】
【特許文献１】特許第２５９９１０１号公報
【特許文献２】特許第４７１２３１７号公報
【特許文献３】特許第４９５９４７９号公報
【特許文献４】特許第５００２２５３号公報
【特許文献５】特許第５０８７３１７号公報
【発明の概要】
【発明が解決しようとする課題】
【０００７】
上述したように、従来より種々のタイプの捕虫装置が提案され、実用に供されているが、いずれも満足のいく誘引効果が得られていないのが実情である。そこで本発明者らは鋭意研究を進めた結果、光と音と匂いの３誘引要素を併せ具備させることで、誘引効果を飛躍的に高めることができるとの知見を得て本発明を完成させたものである。即ち、本発明の課題とするところは、虫の好む領域の光と音、並びに、匂いの３誘引要素を併せ具備させることで、従来にない優れた誘引効果並びに捕虫効果を発現し、且つ、徐放性を備えることで長時間に亘って誘引効果並びに捕虫効果を持続し得る捕虫装置を提供するところにある。
【課題を解決するための手段】
【０００８】
上記課題を解決するための請求項１に記載の発明は、虫が進入し得る大きさの開口を有していて、内部に捕虫シートを定着する内面を備えたケースと、該ケース内に具備される誘引捕虫手段とから成り、前記誘引捕虫手段は、匂い及び光誘引要素であると共に捕虫手段である粘着性の捕虫シートと、光誘引要素である誘引蛍光管と、音誘引要素である誘引音波発生器であって、前記捕虫シートは、そのシート基材がＵＶ反射性能を具備し、その粘着捕虫層はＵＶ軟化性粘着剤が用いられることによって匂い徐放性を具備したものであることを特徴とする捕虫装置である。
【０００９】
一実施形態においては、前記音波発生器が発生する音波の波長域は、３００Ｈｚ以下とされ、また、前記捕虫シートは、そのシート基材が３６５ｎｍ近辺の波長を良好に反射するものとされる。
【００１０】
また、一実施形態においては、前記捕虫シートの粘着捕虫層は、香料を粉末状にし、高温下で粘着物質に含浸させることにより徐放性を持たせたものとされ、前記香料は、乳酸臭又はきな粉臭を有するものとされる。
【００１１】
また、一実施形態においては、前記捕虫シートの粘着捕虫層は、匂い成分を含浸させた活性アルミナを粘着層に付着することにより徐放性を持たせたものとされ、前記活性アルミナとして、異なる匂い成分を含浸させた複数種のものが用いられ、その場合、前記活性アルミナに、酢を含浸させたものと黒砂糖を含浸させたものとが含まれる。
【発明の効果】
【００１２】
本発明は上述したとおりであって、誘引捕虫手段が、誘引蛍光管と、誘引音波発生器と、匂い徐放性を有する粘着性の捕虫シートの、光、音、匂いの３誘引要素から成るため、従来にない優れた誘引効果並びに捕虫効果を発揮し得る効果がある。
【００１３】
また、請求項４乃至８に係る発明においては、粘着捕虫層に取り込んだ匂い成分を徐々に放出させることができるため、長時間に亘って誘引効果並びに捕虫効果を持続しうる効果がある。
【図面の簡単な説明】
【００１４】
【図１】本発明に係る捕虫装置の構成例を示す斜視図である。
【図２】本発明に係る捕虫装置の構成例を示す側面図である。
【発明を実施するための形態】
【００１５】
本発明を実施するための形態について、図面を参照しつつ説明する。本発明に係る捕虫装置は、例えば、側面半円形状のケース１内に、種々の誘引捕虫手段を配備して成るもので、その誘引捕虫手段は、匂い及び光誘引要素であると共に捕虫手段である粘着性の捕虫シート２と、光誘引要素である誘引蛍光管３と、音誘引要素である誘引音波発生器４である。この捕虫装置は、通例、吊下して用いられる。
【００１６】
本発明において使用される捕虫シート２は、ＵＶ反射性、軟粘度性及び匂い徐放性を併せ有することを特徴とするものである。捕虫シート２にＵＶ反射性能を具備させるために、予め、そのシート基材に所定のＵＶ反射物質である蛍光剤顔料を印刷加工する。その場合、統計的に多くの昆虫類が最も誘引反応を示すとされている、３６５ｎｍ近辺の波長をよく反射するように設定することが好ましい。
【００１７】
また、本発明において推奨される誘引音波発生器４は、その発生音波域が０〜３００Ｈｚのものであり、特に、２００〜３００Ｈｚに調整可能なものである。この２００〜３００Ｈｚの音波域は、多くの双翅目昆虫が最も誘引される音波域で、それは、交尾の際の音波域に一致するものである。図示した例では、誘引音波発生器４の外側面に音波域調整用の摘み５が設置され、これを回して２００〜３００Ｈｚの範囲内での調整が可能にされている。なお、現行の０〜５０００Ｈｚに対応する音波発生器の場合は、目盛が小さ過ぎて、２００〜３００Ｈｚに調整することは困難である。
【００１８】
従来の捕虫シートに用いられている粘着捕虫剤は、ＵＶで硬化するタイプのものであったが、本発明の捕虫シート２に用いる粘着捕虫剤は、逆にＵＶで軟化するタイプのものである。ここでいう軟化とは、実際には粘着剤の劣化が始まっていることを意味する。即ち、本発明における粘着剤の経時的劣化は、軟化方向とされているのである。但し、その場合の粘着剤は、例えば、２０Ｗ相当の蛍光灯から照射される紫外線を目安にして、３ヶ月間捕獲可能となるレベルのものとされる。その場合は、３ヶ月間経過後に粘度が著しく劣化し、もはや捕獲できないレベルとなる。
【００１９】
従来の粘着捕虫剤のようなＵＶ硬化性タイプのものの場合における硬化も、本発明において用いるＵＶ軟化性タイプのものの場合における軟化も、共に粘着剤の劣化反応であるが、硬化の場合は、その後の捕獲が不可となるだけでなく、既に捕獲された虫が粘着面から脱落する現象が起こる。これに対して軟化の場合は、同じく劣化反応といってもその進行は緩やかで、徐々に変化していくため、捕獲性能が低下しにくいだけでなく、逆に、粘着剤の軟化に伴って飛翔害虫の纏わり付き効果が上昇するという現象が起こり、より捕獲しやすい状況となるというメリットがある。
【００２０】
このようなＵＶで軟化するタイプの粘着捕虫剤は、元々農業害虫用の捕虫シートに用いられているものであり、それは、屋外設置を想定したものである。
【００２１】
更に本発明に係る捕虫シート２の場合は、その粘着捕虫層に香料が含まれ、その香気が徐々に放出されるところに特徴がある（匂い徐放性）。匂い徐放性能を具備させるための方法としては、例えば、乳酸やきな粉等に近い匂いの香料を粉末状にし、高温下で粘着物質に含浸させる方法や、液体状の匂い成分を含浸させた活性アルミナ球を粘着層に定着する方法等が考えられる。本発明において用いる匂い成分は食品成分であり、とりわけ、酢及び黒砂糖、あるいは、乳酸やきな粉等に近い匂いの香料が好適である。
【００２２】
本発明に係る捕虫シート２の捕獲性能を確認するために、以下に述べるような二通りの方法で捕獲性能比較試験を行った。
【００２３】
≪捕獲性能比較試験１≫
この比較試験１は、以下のような４種類のサンプルを用意し、下記方法で比較試験を行った。なお、ここにいう改良シートは、本発明に基づいて粘着捕虫層に匂い要素を付加したものであり、従来シートは匂い要素を付加してないものである。
【００２４】
［サンプル］
・改良シート１：乳酸１％を含有させた、３６８ｃｍ２のサイズのシート
・改良シート２：乳酸５％を含有させた、３２１ｃｍ２のサイズのシート
・従来シート１：香料を含有させてない、４８５ｃｍ２のサイズのシート
・従来シート２：香料を含有させてない、４８３ｃｍ２のサイズのシート
【００２５】
なお、本発明に係る捕虫シート２は、シート基材上に粘着物質、固定剤及び香料を配して構成されるが、上記乳酸１％、５％は、これら粘着物質、固定剤及び香料全体の重量に対して乳酸の占める割合を示すものである。以下の例においても同様である。
【００２６】
［試験方法］
上記４種のサンプルを机の四隅に置き、餌培地に収納されたショウジョウバエを机の中央部、即ち、４種のサンプルの中間位置において暗室条件下で放飼し、２時間後に各サンプルを回収して捕獲総数をカウントした。比較評価においては、付着面積５００ｃｍ２当たりの個体数を用い（各試験片で粘着面積が異なるため、評価においては同じ面積当たりに換算した。）、カイ２乗検定（カイ２乗値：５２．９）にて有意差確認を行った。
【００２７】
［試験結果］
上記比較試験１の結果（換算後の捕獲数）を表１に示す。
＜表１＞
0005956516.tif 000002
【００２８】
この表１に示される結果からすると、粘着捕虫層に香料を含む本発明に係る改良シート１、２は、従来シート１、２の約６倍の捕獲性能があることになり（ショウジョウバエの場合）、その捕獲性能向上効果を十分に確認することができた。
【００２９】
≪捕獲性能比較試験２≫
この比較試験２は、いずれも本発明に係る捕虫シート２であって、粘着捕虫層における香料及びその含有量を変えて作成した６種類のサンプルＡ〜Ｆ間における優劣を確認するために行ったものである。
【００３０】
［サンプル］
・サンプルＡ：乳酸５％を粘着物質に含浸させた捕虫シート
・サンプルＢ：きな粉５％を粘着物質に含浸させた捕虫シート
・サンプルＣ：乳酸２０％含有の活性アルミナ球を粘着層に定着した捕虫シート
・サンプルＤ：きな粉３０％含有の活性アルミナ球を粘着層に定着した捕虫シート
・サンプルＥ：めんつゆ３０％含有の活性アルミナ球を粘着層に定着した捕虫シート
・サンプルＦ：酢１０％・黒砂糖乳酸３％含有の活性アルミナ球を粘着層に定着した捕虫シート
【００３１】
［試験方法］
室温２５度の暗室内の８個所にそれぞれ、上記６種のサンプルをランダムに並べて置き、イエバエ約３００頭を放飼し、３時間後に各シートを回収して捕獲数を確認した。そして、カイ２乗検定を実施し、有意水準として、５％及び１５％を採用した。
【００３２】
［試験結果］
上記比較試験２の結果は表２のとおりであった。
＜表２＞
0005956516.tif 000003
【００３３】
この表２に示される結果からすると、数値的な傾向では、香料を練り込んだサンプルＡ及びＢよりも、活性アルミナ球に匂いを封じ込めた徐放性のサンプルＣ〜Ｆの方が捕獲数が大であって、後者の方が優位であることが判明した。また、サンプルＡとサンプルＣ、Ｄ間において、有意差（１５％水準）が認められた。
【００３４】
≪音波比較試験≫
本発明においては、音波発生器４が発生する音波の波長域は３００Ｈｚ以下とされ、特に、多くの双翅目昆虫が最も誘引される音波域と考えられる２００〜３００Ｈｚとされる。この点について実証するために、以下のような音波に関する室内実験を行った。
【００３５】
［試験方法］
無響室を暗室化し、異なる波長を発生する音波発生器を備えた捕虫装置２台（一方は２５０Ｈｚ、他方は２５００Ｈｚ）を対峙し、その中間位置においてショウジョウバエを放飼した。
【００３６】
［試験結果］
上記試験において、「２５０Ｈｚの場合が２５００Ｈｚの場合よりも２倍多く捕獲する」、という仮説を立てた場合に対するカイ２乗検定の結果は、表３のとおりであった（Χ２＝０．１、  自由度  １）。
＜表３＞
0005956516.tif 000004
【００３７】
この実験において、カイ２乗値が発現する確率は、０．０５よりもはるかに高く（０．９よりも高い）、当帰無仮説を棄却できないので、「２倍多く捕獲する」と言うことができる。
【００３８】
本発明に係る捕虫装置は上記のとおりであり、その特徴をまとめると以下のとおりとなる。
・誘引捕虫手段が、誘引蛍光管と、誘引音波発生器と、匂い徐放性を有する粘着性の捕虫シート２の、光、音、匂いの３誘引要素から成るため、従来にない優れた誘引効果並びに捕虫効果を発揮する。
・捕虫シート２（粘着捕虫層）のシート基材がＵＶ反射性能を有していて、誘引蛍光管から発せられるＵＶが粘着捕虫層を通過してシート基材で反射されるため、ＵＶによる誘引効果を高めることができる。
・捕虫シート２の粘着物質そのものに食品成分の誘引物質を粘着させて、その誘引物質の匂い成分を長時間に亘って徐々に放出するため、誘引効果及び捕虫効果が持続する。
・粘着剤としてＵＶ軟化性のものを用いるため、ＵＶによる劣化を緩和することができる。
【００３９】
この発明をある程度詳細にその好ましい実施形態について説明してきたが、この発明の精神と範囲に反することなしに広範に異なる実施形態を構成することができることは言うまでもない。従って、この発明は添付請求の範囲において限定した以外はその特定の実施形態に制約されるものではない。
【符号の説明】
【００４０】
１    ケース  
２    捕虫シート
３    誘引蛍光管
４    誘引音波発生器
５    つまみ
【図１】
0005956516.tif 000005
【図２】
0005956516.tif 000006